(57)【要約】【課題】電解水ディスペンサーにおいて、少量の電解生成水を所望する消費者に応答良く給水することができるようにする。【解決手段】有隔膜電解槽１０ａ、有隔膜電解槽１０ａの各電解室にて生成される各電解生成水を流出させる一対の流出管路２１ａ，２１ｂ、各流出管路を通して流出する電解生成水を所定の場所に給水する一対の給水管路２２ａ，２２ｂを備え、各電解生成水を各給水管路を通して選択的に給水する形式の電解水ディスペンサーにおいて、電解運転時、少量を所望する電解生成水を導入可能な給水タンク１０ｂを設けて、当該電解生成水の給水を常時可能とした。【選択図】  図１
2005334722.tif 000002
【特許請求の範囲】
【請求項１】
有隔膜電解槽と、同有隔膜電解槽の各電解室に接続されて各電解室にて生成される各電解生成水を流出させる一対の流出管路と、これら各流出管路に接続されて各流出管路を通して流出する電解生成水を所定の場所に給水する一対の給水管路を備え、各電解生成水を各給水管路を通して選択的に給水する電解水ディスペンサーであり、当該電解水ディスペンサーは、前記各給水管路の一方または両方に接続する導入管路と、同導入管路に接続する給水タンクを備え、一方の電解生成水の給水時には、同電解生成水または他方の電解生成水が前記導入管路を通して前記給水タンクに導入されるように構成されていることを特徴とする電解水ディスペンサー。
【請求項２】
有隔膜電解槽と、同有隔膜電解槽の各電解室に接続されて各電解室にて生成される各電解生成水を流出させる一対の流出管路と、これら各流出管路に接続されて各流出管路を通して流出する電解生成水を所定の場所に給水する一対の給水管路を備え、各電解生成水を各給水管路を通して選択的に給水する電解水ディスペンサーであり、当該電解水ディスペンサーは、前記各給水管路の一方または両方に三方切替弁を介して接続する導入管路と、同導入管路に接続する給水タンクと、前記各給水管路と前記各流出管路との接続部位に三方切替弁を介して接続する排水管路を備え、一方の電解生成水の給水時には他方の電解生成水が排水され、かつ、給水側のまたは排水側の電解生成水が前記導入管路を通して前記給水タンクに導入可能に構成されていることを特徴とする電解水ディスペンサー。
【請求項３】
有隔膜電解槽と、同有隔膜電解槽の各電解室に接続されて各電解室にて生成される各電解生成水を流出させる一対の流出管路と、これら各流出管路に接続されて各流出管路を通して流出する電解生成水を所定の場所に給水する一対の給水管路を備え、各電解生成水を各給水管路を通して選択的に給水する電解水ディスペンサーであり、当該電解水ディスペンサーは、前記各給水管路の一方と前記流出管路との接続部位に三方切替弁を介して接続する導入管路と、同導入管路に接続する給水タンクと、前記各給水管路の他方と前記流出管路との接続部位に三方切替弁を介して接続する排水管路を備え、一方の電解生成水の給水時には他方の電解生成水が排水され、かつ、他方の電解生成水の給水時には一方の電解生成水が前記導入管路を通して前記給水タンクに導入可能に構成されていることを特徴とする電解水ディスペンサー。
【発明の詳細な説明】
【技術分野】
【０００１】
本発明は、電解生成酸性水と電解生成アルカリ性水とを選択的に給水するための電解水ディスペンサーに関する。
【背景技術】
【０００２】
電解水ディスペンサーの一形式として、有隔膜電解槽と、有隔膜電解槽の各電解室に接続されて各電解室にて生成される各電解生成水を流出させる一対の流出管路と、これら各流出管路に接続されて各流出管路を通して流出する電解生成水を所定の場所に給水する一対の給水管路を備え、各電解生成水を選択的に給水する形式の電解水ディスペンサーがある（特許文献１，２を参照）。
【０００３】
当該形式の電解水ディスペンサーにおいては、例えば、各特許文献にて示されているように、各電解生成水を一旦各給水タンクに導入し、各給水タンク内に収容されている各電解生成水を給水する手段が採られ、或いは、各給水管路を通して直接給水する手段が採られる。
【０００４】
しかして、当該形式の電解水ディスペンサーは、各電解生成水を多量に給水することを基本とするものであることから、当該形式の電解水ディスペンサーを簡単な構成で小型化するには、大型の給水タンクの一方または両方を省略して、各電解生成水を各給水管路から直接給水するようにすることが好ましい。かかる構成の電解水ディスペンサーでは、電解運転に連動して各電解生成水が給水されることになる。
【特許文献１】特開平７−２５６２５６号公報
【特許文献２】特開平８−２１５６８４号公報
【発明の開示】
【発明が解決しようとする課題】
【０００５】
ところで、当該形式の電解水ディスペンサーにおいては、電解運転の開始から所定時間経過した後に、設定された特性の電解生成水が安定して生成される特性を有している。このため、上記した構成の電解水ディスペンサーにおいては、電解運転の初期には、設定された特性の少量の電解生成水を給水することができず、少量の電解生成水を所望する消費者に待機時間を強いることになり、応答性の点で新たな問題が発生する。従って、本発明の目的は、かかる問題に対処することにある。
【課題を解決するための手段】
【０００６】
本発明は、電解水ディスペンサーに関する。本発明に係る電解水ディスペンサーは、有隔膜電解槽と、同有隔膜電解槽の各電解室に接続されて各電解室にて生成される各電解生成水を流出させる一対の流出管路と、これら各流出管路に接続されて各流出管路を通して流出する電解生成水を所定の場所に給水する一対の給水管路を備え、各電解生成水を各給水管路を通して選択的に給水する電解水ディスペンサーを適用対象とする。
【０００７】
本発明に係る第１の電解水ディスペンサーにおいては、前記各給水管路の一方または両方に接続する導入管路と、同導入管路に接続する給水タンクを備え、一方の電解生成水の給水時には、同電解生成水または他方の電解生成水が前記導入管路を通して前記給水タンクに導入されるように構成されていることを特徴とするものである。
【０００８】
また、本発明に係る第２の電解水ディスペンサーにおいては、前記各給水管路の一方または両方に三方切替弁を介して接続する導入管路と、同導入管路に接続する給水タンクと、前記各給水管路と前記各流出管路との接続部位に三方切替弁を介して接続する排水管路を備え、一方の電解生成水の給水時には他方の電解生成水が排水され、かつ、給水側または排水側の電解生成水が前記導入管路を通して前記給水タンクに導入可能に構成されていることを特徴とするものである。
【０００９】
また、本発明に係る第３の電解水ディスペンサーにおいては、前記各給水管路の一方に三方切替弁を介して接続する導入管路と、同導入管路に接続する給水タンクと、前記各給水管路の他方と前記流出管路との接続部位に三方切替弁を介して接続する排水管路を備え、一方の電解生成水の給水時には他方の電解生成水が排水され、かつ、他方の電解生成水の給水時には一方の電解生成水が前記導入管路を通して前記給水タンクに導入可能に構成されていることを特徴とするものである。
【発明の効果】
【００１０】
本発明に係る第１，第２の各電解水ディスペンサーにおいては、電解運転時における一方の電解生成水の給水時に、同電解生成水または他方の電解生成水が給水タンクに導入されて、給水タンクを許容量の電解生成水で満たしている。また、本発明に係る第３の電解水ディスペンサーにおいては、電解運転時における一方の電解生成水の給水時に、一方の電解生成水が給水タンクに導入されて、給水タンクを許容量の電解生成水で満たしている。すなわち、本発明に係る各電解水ディスペンサーにおいては、装備している給水タンクは設定されている種類の電解生成水を十分に収容していることから、消費者は、所望時に待機時間を強いられることなく、即、給水を受けることができる。
【００１１】
なお、本発明に係る第３の電解水ディスペンサーよれば、第２の電解水ディスペンサーに比較して、給水管路および排水管路等を簡略することができるとともに、三方切替弁の配設数を減少させることができて、電解水ディスペンサーの構造を簡単で小型に構成することができるという利点がある。
【発明を実施するための最良の形態】
【００１２】
本発明は、電解水ディスペンサーに関する。図１には、本発明に係る電解水ディスペンサーの第１の実施形態を示している。当該電解水ディスペンサーは、本発明の第２の電解水ディスペンサーに該当するものであって、有隔膜電解槽１０ａ、給水タンク１０ｂ、有隔膜電解槽１０ａおよび給水タンク１０ｂを接続するとともに電解生成水を給水場所に導く水管路系２０にて構成されている。
【００１３】
有隔膜電解槽１０ａは、イオン透過能を有する隔膜で区画された一対の電解室を備えている公知のもので、有隔膜電解槽１０ａにおいては、例えば希薄食塩水を被電解水として供給管路１０ｃを通して各電解室に供給され、陽極側電解室にて強酸性の電解生成酸性水が生成され、かつ、陰極側電解室にて強アルカリ性の電解生成アルカリ性水が生成される。生成された電解生成酸性水は、後述する流出管路２１ａを通して流出され、かつ、生成された電解生成アルカリ水は後述する流出管路２１ｂを通して流出される。
【００１４】
給水タンク１０ｂは、タンク本体１１と、タンク本体１１内に配設されている３個のフロートスイッチ１２ａ，１２ｂ，１２ｃにて構成されている。タンク本体１１は、上方部に流入孔部１１ａを、タンク本体１１の底部に排水孔部１１ｂを、タンク本体１１の下方側部に供給孔部１１ｃを有するもので、タンク本体１１の上方には、塩素ガスを放出するガス放出管１３を備えている。流入孔部１１ａには、後述する導入管路２６が接続され、排水孔部１１ｂには排水管路１４が接続されている。排水管路１４は、後述する主排水管路２７に接続されていて、排水管路１４には開閉動作する排水弁１４ａが介装されている。また、供給孔部１１ｃには給水管路１５が接続されていて、給水管路１５は給水する場所に臨んでいる。給水管路１５には、供給ポンプ１５ａが介装されている。
【００１５】
タンク本体１１内に配設されている各フロートスイッチ１２ａ〜１２ｃにおいては、上フロートスイッチ１２ａは、タンク本体１１内の電解生成水の上側液面を検出してそれ以上の電解生成水の導入を規制すべく機能する。中フロートスイッチ１２ｂは、タンク本体１１内の電解生成水の中間液面を検出して電解生成水の導入を許容すべく機能する。下フロートスイッチ１２ｃは、タンク本体１１内の電解生成水の下死点液面を検出して供給ポンプ１５ａの空運転を防止すべく機能する。
【００１６】
当該電解水ディスペンサーを構成する水管路系２０は、有隔膜電解槽１０ａの陽極側電解室に接続された第１流出管路２１ａおよび陰極側電解室に接続された第２流出管路２１ｂと、各流出管路２１ａ，２１ｂに接続された各給水管路２２ａ，２２ｂと、各給水管路２２ａ，２２ｂと各流出管路２１ａ，２１ｂとの接続部位に三方切替弁２３ａ，２３ｂを介して接続された排水管路２４ａ，２４ｂと、第１給水管路２２ａに三方切替弁２５を介して接続された導入管路２６を備えている。
【００１７】
当該水管路系２０においては、各給水管路２２ａ，２２ｂの先端部が大容量の容器であ収容タンクＡを載置する容器受部１６ａの上方に臨み、各排出管路２４ａ，２４ｂは主排水管路２７に接続され、かつ、導入管路２６は給水タンク１０ｂのタンク本体１１における流入孔部１１ａに接続されている。なお、給水タンク１０ｂにおいては、給水管路１５の先端が小容量の容器であるコップＢを載置する容器受部１６ｂの上方に臨んでいる。当該電解水ディスペンサーにおいては、各三方切替弁２３ａ，２３ｂ，２５として、モータ駆動にて切替動作する切替弁が採用されていて、当該電解水ディスペンサーの電解運転時には、図示しない制御装置にて切替制御される。
【００１８】
当該電解水ディスペンサーにおいては、制御装置の図示しない操作パネルに３種類の押しボタン式のスイッチ、すなわち、電解生成酸性水の給水を要求する第１給水スイッチ、電解生成アルカリ性水の給水を要求する第２給水スイッチ、および、給水タンク１０ｂ内の電解生成水の給水を要求する第３給水スイッチが配置されている。
【００１９】
当該制御装置は、消費者の第１給水スイッチおよび第２給水スイッチの選択的な押動操作に基づいて当該電解水ディスペンサーの電解運転を開始し、給水スイッチの押動操作が解除された時点で電解運転を停止する。この間、消費者が選択した電解生成水が収容タンクＡに所望量給水される。また、当該制御装置は、消費者の第３給水スイッチの押動操作に基づいて、給水タンク１０ｂ内の電解生成水の給水を開始し、第３給水スイッチの押動操作が解除されるまで継続する。この間、給水タンク１０ｂ内の電解生成水がコップＢに所望量給水される。
【００２０】
当該電解水ディスペンサーにおいて、多量の電解生成酸性水を給水する電解運転時における各電解生成水の流れを図１にて矢印で示し、多量の電解生成アルカリ性水を給水する電解運転時における各電解生成水の流れを図２にて矢印で示している。但し、実線の矢印は電解生成酸性水の流れを示し、破線の矢印は電解生成アルカリ性水の流れを示している。
【００２１】
当該電解水ディスペンサーにおいて、消費者が第１給水スイッチ（電解生成酸性水用）を押動操作すると、当該制御装置は各三方切替弁２３ａ，２３ｂ，２５を切替動作し、有隔膜電解槽１０ａの各電極に所定値の電解電流を印加し、被電解水である希薄食塩水を有隔膜電解槽１０ａの各電解室に供給する。これにより、当該電解水ディスペンサーの電解運転が開始され、電解生成酸性水は図１の実線矢印に示すように、給水管路２２ａを通して収容タンクＡに給水される。また、電解生成アルカリ性水は図１の破線矢印で示すように、排水管路２４ｂを通して主排水管路２７に排水される。
【００２２】
この間、当該制御装置は、給水タンク１０ｂ内に設置されている各フロートスイッチ１２ａ，１２ｂからの液面検出信号に基づいて三方切替スイッチ２５を切替制御して、給水管路２２ａを流れる電解生成酸性水の一部を導入管路２６を介して給水タンク１０ｂ内へ導入する制御を行う。これらの各電解生成水の流動は、消費者が第１給水スイッチ（電解生成酸性水用）の押動操作を解除するまで継続され、第１給水スイッチ（電解生成酸性水用）の押動操作が解除された時点で電解運転が停止され、かつ、各電解生成水の流動が停止される。
【００２３】
一方、当該電解水ディスペンサーにおいて、消費者が第２給水スイッチ（電解生成アルカリ性水用）を押動操作すると、当該制御装置は各三方切替弁２３ａ，２３ｂ，２５を切替動作し、有隔膜電解槽１０ａの各電極に所定値の電解電流を印加し、被電解水である希薄食塩水を有隔膜電解槽１０ａの各電解室に供給する。これにより、当該電解水ディスペンサーの電解運転が再開され、電解生成アルカリ水は図２の破線矢印に示すように、給水管路２２ｂを通して収容タンクＡに給水される。また、電解生成酸性水は図２の実線矢印で示すように、排水管路２４ａを通して主排水管路２７ｂに排水される。
【００２４】
この間、当該制御装置は、給水タンク１０ｂ内に設置されている各フロートスイッチ１２ａ，１２ｂからの液面検出信号に基づいて三方切替スイッチ２３ａ，２５を切替制御して、排水されようとする電解生成酸性水の一部を導入管路２６を介して給水タンク１０ｂ内に導入を制御を行う。これらの各電解生成水の流動は、消費者が第２給水スイッチ（電解生成アルカリ水用）の押動操作を解除するまで継続され、第２給水スイッチ（電解生成アルカリ性水用）の押動操作が解除された時点で電解運転が停止され、かつ、各電解生成水の流動が停止される。
【００２５】
このように、当該電解水ディスペンサーにおいては、電解運転中、各電解生成水を多量に給水する電解運転時に、所要の電解生成酸性水が給水タンク１０ｂに導入されて、給水タンク１０ｂには、収容量の電解生成酸性水が常時確保されている。このため、消費者が少量の電解生成酸性水の給水を受けるべく第３給水スイッチを押動操作すると、給水ポンプ１５ａが駆動して、給水タンク１０ｂ内の電解生成酸性水を、給水管路１５を通してコップＢに給水される。コップＢ内への給水は、第３給水スイッチの押動操作を解除することによって停止される。このため、当該電解水ディスペンサーにおいては、消費者が所望する時に待機させることなく即、少量の電解生成酸性水を給水することができる。
【００２６】
なお、当該電解水ディスペンサーにおいては、給水タンク１０ｂを電解生成酸性水の給水用の給水タンクに設定しているが、これを電解生成アルカリ性水の水管路系に配置することによって、電解生成アルカリ性水用の給水タンクに設定変更を行うことができ、また、給水タンク１０ｂを電解生成酸性水用と電解生成アルカリ性水用の２台を設置する変更を行うこともできる。
【００２７】
図３には、本発明に係る電解水ディスペンサーの第２の実施形態を示している。当該電解水ディスペンサーは、本発明の第３の電解水ディスペンサーに該当するものであって、有隔膜電解槽１０ａ、給水タンク１０ｄ、有隔膜電解槽１０ａおよび給水タンク１０ｄを接続するとともに電解生成水を給水場所に導く水管路系３０にて構成されている。当該電解生水ディスペンサーにおいては、有隔膜電解槽１０ａは、第１の実施形態の有隔膜電解槽１０ａと同一構成のものであり、給水タンク１０ｄおよび水管路系３０は第１の実施形態の水管路系２０とは相違する。
【００２８】
当該電解水ディスペンサーを構成する水管路系３０は、有隔膜電解槽１０ａの陽極側電解室に接続された流出管路３１ａおよび陰極側電解室に接続された流出管路３１ｂと、各流出管路３１ａ，３１ｂに接続されて主給水管路３３にそれぞれ接続された各給水管路３２ａ，３２ｂと、給水管路３２ａと流出管路３１ａとの接続部位に三方切替弁３３ａを介して接続された導入管路３４と、給水管路３２ｂと流出管路３１ｂとの接続部位に三方切替弁３３ｂを介して接続された排水管路３５を備えている。導入管路３４は、給水タンク１０ｄの流入孔部１１ａに接続されており、排水管路３５は、主排水管路３６に接続されている。
【００２９】
当該電解水ディスペンサーで採用している給水タンク１０ｄは、給水タンク１０ｂとは、排水管路１４および給水管路１５を備える点では共通するが、タンク本体１１内にフロートスイッチ類のうちの下死点液面を検出するフロートスイッチのみを備えている点、および、タンク本体１１にオーバフローパイプ１７を備えている点で給水タンク１０ｂとは相違する。オーバフローパイプ１７は、その上端をタンク本体１１の上方の部位に接続され、かつ、その下端を主排水管路３６に接続されていて、タンク本体１１内での電解生成酸性水の収容量の上限を規制するとともに、電解生成酸性水を排水する排水管路としても機能する。
【００３０】
当該電解水ディスペンサーにおいては、第１の実施形態に係る電解水ディスペンサーと同様に、図示しない制御装置の操作パネルに３種類の押しボタン式のスイッチ、すなわち、電解生成酸性水の給水を要求する第１給水スイッチ、電解生成アルカリ性水の給水を要求する第２給水スイッチ、および、給水タンク１０ｄ内の電解生成水の給水を要求する第３給水スイッチが配置されている。消費者は、各給水スイッチを選択的に押動操作することにより、所望する電解生成水の所望量だけの給水を受けることができる。
【００３１】
当該電解水ディスペンサーにおける、多量の電解生成酸性水を給水する電解運転時の各電解生成水の流れを図３にて矢印で示し、多量の電解生成アルカリ性水を給水する電解運転時の各電解生成水の流れを図４にて矢印で示している。但し、実線の矢印は電解生成酸性水の流れを示し、破線の矢印は電解生成アルカリ性水の流れを示している。
【００３２】
当該電解水ディスペンサーにおいて、消費者が第１給水スイッチ（電解生成酸性水用）を押動操作すると、当該制御装置は各三方切替弁３３ａ，３３ｂを切替動作し、有隔膜電解槽１０ａの各電極に所定値の電解電流を印加し、被電解水である希薄食塩水を有隔膜電解槽１０ａの各電解室に供給する。これにより、当該電解水ディスペンサーの電解運転が開始され、電解生成酸性水は図３の実線矢印に示すように、給水管路３２ａおよび主給水管路３３を通して収容タンクＡに給水される。また、電解生成アルカリ性水は図３の破線矢印で示すように、排水管路３５を通して主排水管路３６に排水される。これらの各電解生成水の流動は、消費者が第１給水スイッチ（電解生成酸性水用）の押動操作を解除するまで継続され、第１給水スイッチ（電解生成酸性水用）の押動操作を解除することによって電解運転が停止され、かつ、各電解生成水の流動が停止される。
【００３３】
一方、当該電解水ディスペンサーにおいて、消費者が第２給水スイッチ（電解生成アルカリ性水用）を押動操作すると、当該制御装置は各三方切替弁３３ａ，３３ｂを切替動作し、有隔膜電解槽１０ａの各電極に所定値の電解電流を印加し、被電解水である希薄食塩水を有隔膜電解槽１０ａの各電解室に供給する。これにより、当該電解水ディスペンサーの電解運転が再開され、電解生成アルカリ水は図４の破線矢印に示すように、給水管路３２ｂおよび主給水管路３３を通して収容タンクＡに給水される。
【００３４】
また、電解生成酸性水は図４の実線矢印で示すように、導入管路３４を通して給水タンク１０ｄのタンク本体１１内に導入される。導入管路３４を経てタンク本体１１内に導入された電解生成酸性水が許容量を越える場合には、余剰の電解生成酸性水は、オーバフローパイプ１７を通して主排水管路３６に排水される。これにより、給水タンク１０ｄ内に収容されている電解生成水は、設定された一定の収容量に保持される。
【００３５】
このため、消費者が少量の電解生成酸性水の給水を受けるべく第３給水スイッチを押動操作すると、給水ポンプ１５ａが駆動して、給水タンク１０ｄ内の電解生成酸性水は、給水管路１５を通してコップＢに給水される。コップＢ内への給水は、第３給水スイッチの押動操作を解除することによって停止される。このため、当該電解水ディスペンサーにおいては、消費者が所望する時に待機させることなく即、少量の電解生成酸性水を給水することができる。
【００３６】
なお、当該電解水ディスペンサーにおいても、給水タンク１０ｄを電解生成酸性水の給水用の給水タンクに設定しているが、これを電解生成アルカリ性水用の水管路系に配置することによって、電解生成アルカリ性水用の給水タンクに設定変更を行うことができ、また、給水タンク１０ｄを電解生成酸性水用と電解生成アルカリ性水用の２台を設置する変更を行うこともできる。
【図面の簡単な説明】
【００３７】
【図１】本発明の第１の実施形態に係る電解水ディスペンサーを示す概略的構成図であって、電解生成酸性水の給水運転時における各電解生成水の流動状態を併記した構成図である。
【図２】同電解水ディスペンサーを示す概略的構成図であって、電解生成アルカリ水の給水運転時における各電解生成水の流動状態を併記した構成図である。
【図３】本発明の第２の実施形態に係る電解水ディスペンサーを示す概略的構成図であって、電解生成酸性水の給水運転時における各電解生成水の流動状態を併記した構成図である。
【図４】同電解水ディスペンサーを示す概略的構成図であって、電解生成アルカリ水の給水運転時における各電解生成水の流動状態を併記した構成図である。
【符号の説明】
【００３８】
１０ａ…有隔膜電解槽、１０ｂ，１０ｄ…給水タンク、１０ｃ…供給管路、１１…タンク本体、、１１ａ…流入孔部、１１ｂ…排水孔部、１１ｃ…供給孔部、１２ａ，１２ｂ，１２ｃ…フロートスイッチ、１３…ガス放出管、１４…排水管路、１４ａ…排水弁、１５…給水管路、１５ａ…供給ポンプ、１６ａ，１６ｂ…容器受部、１７…オーバフローパイプ、２０…水管路系、２１ａ，２１ｂ…流出管路、２２ａ，２２ｂ…給水管路、２３ａ，２３ｂ，２５…三方切替弁、２４ａ，２４ｂ…排水管路、２６…導入管路、２７…主排水管路、３０…水管路系、３１ａ，３１ｂ…流出管路、３２ａ，３２ｂ…給水管路、３３ａ，３３ｂ…三方切替弁、３４…導入管路、３４…排水管路、３６…主排水管路、Ａ…収容タンク、Ｂ…コップ。
【図１】
2005334722.tif 000003
【図２】
2005334722.tif 000004
【図３】
2005334722.tif 000005
【図４】
2005334722.tif 000006